(57)【特許請求の範囲】
【請求項１】
伸縮自在なゴム状弾性を有するエラストマ樹脂によって人体頭部に密着可能な形状に成形されかつ眼と耳と後頭部を覆うに足る大きさを有しかつ前記眼に対応する部位に形成された孔を有する合成樹脂製のキャップ部と、
上記キャップ部を人体頭部に被せた時に眼を覆う位置に配されていて眼球の前方に位置する無色透明あるいは有色透明の合成樹脂製の透明体を有するとともに上記透明体の外周部に眼の周囲の顔面に密接可能な水遮断用の縁部を有するゴーグル部と、
を具備し、
前記ゴーグル部の前記縁部は、前記キャップ部の前記孔の周りの顔面側に突出するよう前記キャップ部と同一種類のエラストマ樹脂によって該キャップ部と一体成形され、
該キャップ部と一体成形された前記縁部の内周部に前記透明体の外周縁が水密に固定されていることを特徴とする水泳用ゴーグル。
【請求項２】
上記ゴーグル部の透明体が外側に凸の湾曲した形状に成形されかつこの透明体の外周部を上記キャップ部のゴーグル取付部に連続させて凹凸の少ない流線形状としたことを特徴とする請求項１記載の水泳用ゴーグル。
【発明の詳細な説明】
【０００１】
【発明の属する技術分野】
この発明は、競泳などに好適なスイミングキャップを兼ねた水泳用ゴーグルに関する。
【０００２】
【従来の技術】
従来の水泳用ゴーグルは、眼の前方を覆う合成樹脂製の透明体の外周部にゴム状弾性体からなる水遮断用の部材を取付け、透明体の端部に形成したバンド取付部に伸縮性のバンドを挿通し、このバンドによって顔面に装着するようにしている。
【０００３】
【発明が解決しようとする課題】
上記ゴーグルは泳者の水中視界を確保する上で、また眼球を保護する上ですこぶる有効であるが、従来のゴーグルの問題点として、例えば競泳の飛込み時などに水の抵抗によってゴーグルの位置がずれたり外れることがあり、また、ゴーグル自体とバンドなどが水の流れ（ストリームライン）を乱す要因となるため、競泳のように少しでも抵抗を減らす必要がある場合にタイム短縮の点ではゴーグルの装着はいくぶん不利となる。
【０００４】
一方、水泳キャップは泳者の髪を頭部に密着させることができ、水の抵抗を減らす上で有利な場合がある。また、プールなどでは水質を保つ上で水泳キャップの使用が推奨されている。しかしながらキャップとゴーグルが別々であるためにいずれか一方を持ち忘れたり紛失することがあるなど、改善の余地があった。
【０００５】
従ってこの発明の目的は、飛込み時などに外れたりずれることがなく、水の抵抗が少なくかつ水泳キャップとしての機能も果たすことができるような水泳用ゴーグルを提供することにある。
【０００６】
【課題を解決するための手段】
上記の目的を果たすために開発された本発明の水泳用ゴーグルは、例えばシリコーンゴムあるいはウレタンゴム等のような伸縮自在なゴム状弾性を有するエラストマ樹脂によって人体頭部に密着可能な形状に成形されかつ眼と耳と後頭部を覆うに足る大きさを有しかつ前記眼に対応する部位に形成された孔を有する合成樹脂製のキャップ部と、上記キャップ部を人体頭部に被せた時に眼を覆う位置に配されていて眼球の前方に位置する無色透明あるいは有色透明の合成樹脂製の透明体を有するとともに透明体の外周部に眼の周囲の顔面に密接可能な水遮断用の縁部を有するゴーグル部とを具備し、前記ゴーグル部の前記縁部は、前記キャップ部の前記孔の周りの顔面側に突出するよう前記キャップ部と同一種類のエラストマ樹脂によって該キャップ部と一体成形され、該キャップ部と一体成形された前記縁部の内周部に前記透明体の外周縁が水密に固定されていることを特徴とするものである。
【０００７】
本発明では、上記ゴーグル部の縁部と上記キャップ部とが互いに同一種類のエラストマ樹脂（例えばシリコーンゴム等）によって一体成形されているとともに、上記透明体の外周部に上記縁部が水密に固定されている。また上記透明体の内面側を凹レンズ状の曲面に成形すれば、近視用のいわゆる度付きゴーグルとしての機能も発揮できる。
【０００８】
本発明のゴーグルのキャップ部を従来の水泳キャップと同様に泳者の頭部に被せると、キャップ部によって髪を頭部に密着させることができるとともに、ゴーグル部の縁部が眼の周囲の顔面に密接することによってゴーグル部の内側に水が入り込むことが阻止され、ゴーグル部の透明体によって泳者の水中視界が確保される。
【０００９】
本発明のゴーグルは、泳者の頭部に密着するキャップ部全体がゴーグル部を頭部に固定するためのバンドとして機能できるので、別途にゴムバンドを必要としない。そしてキャップ部が水泳キャップとしての機能を果たすことができる。また、ゴーグル部の透明体の外周部がキャップ部のゴーグル取付部に連続させて凹凸の少ない流線形にすることも可能であるなど、水の抵抗が減少するとともに、ゴーグル部が人体頭部にしっかりと保持されるため、競泳の飛込み時などにゴーグル部が外れることがない。
【００１０】
【発明の実施の形態】
以下にこの発明の一実施形態について、図１〜図３を参照して説明する。
図１と図２に示す水泳用ゴーグル１０は、合成樹脂製のキャップ部１１とゴーグル部１２とを備えている。キャップ部１１は、例えばシリコーンゴムあるいはウレタンゴム等のような伸縮自在でかつ滑らかな表面のゴム状弾性を有するエラストマ樹脂によって人体頭部に密着可能な形状に一体成形され、しかも眼と耳と頬および後頭部を覆うに足る大きさを有している。
【００１１】
ゴーグル部１２は、キャップ部１１を人体頭部に被せた時に眼を覆う位置（ゴーグル取付部１１ａ）に設けられており、眼球の前方に位置する透明体１５を有している。透明体１５は、例えばポリカーボネートあるいはアクリル等の無色透明あるいは有色透明の合成樹脂からなる。この透明体１５は、図１に示す実施形態のように両眼に対応した部分１５ａ，１５ｂが連続した形状でもよいし、図４に示す実施形態の透明体１５のように両眼に対応する部分１５ａ，１５ｂが独立した２眼タイプでもよい。
【００１２】
上記いずれの実施形態も、透明体１５の顔面側に、全周にわたって縁部２０が設けられている。この縁部２０は、眼の周囲の顔面に密接できるように、軟質合成樹脂によって作られている。ゴーグル部１２の顔面に接する側は平均的な顔の形の凹凸に合わせた形状にするか、あるいは個別顔面採寸により作成される。
【００１３】
図３（Ａ）（Ｂ）に示すように縁部２０は透明体１５に設けられている。すなわち図３（Ａ）に示す実施形態の場合、ゴーグル部１２の縁部２０とキャップ部１１とを互いに同一種類のエラストマ樹脂（例えばシリコーンゴム）によって一体成形し、縁部２０の内周部に形成された溝２１に透明体１５の外周縁２２を嵌合させかつ必要に応じて外周縁２２を溝２１の内面に接着することにより、透明体１５を縁部２０に水密に固定している。
【００１４】
また図３（Ｂ）に示すように、透明体１５の外周部２３にキャップ部１１のゴーグル取付部１１ａと縁部２０を接着剤あるいは加硫接着などによって水密に固定してもよい。この場合、キャップ部１１の一部に孔をあけることによってゴーグル取付部１１ａを形成している。但し、孔をあける代りにキャップ部１１の少なくとも一部（ゴーグル取付部１１ａに相当する箇所）を透明な樹脂によって成形し、キャップ部１１の引張りに対するゴーグル取付部１１ａの強度を高めるようにしてもよい。
【００１５】
図３（Ａ）に示す透明体１５のように前面をほぼ平坦な形状にすれは、水中視界の歪みを少なくすることができる。また、透明体１５の内面１５ｃを凹レンズ状の曲面に成形すれば、近視用のいわゆる度付きゴーグルとして機能させることができる。図３（Ｂ）に示す透明体１５は外側に凸の湾曲した形状に成形されていて、透明体１５の外周部２３がゴーグル取付部１１ａに対して大きな凹凸を生じることなく連続させている。こうすれば、ゴーグル部１２とその周囲が更に流線形に近付き、水の抵抗を減らす上で有効である。
【００１６】
上記実施形態の水泳用ゴーグル１０を使用する場合、従来の水泳キャップと同様にキャップ部１１を泳者の頭部に被せると、キャップ部１１によって髪が頭部に密着するとともに、ゴーグル部１２の縁部２０が顔面に密接することによってゴーグル部１２の内側に水が入り込むことが阻止され、透明体１５によって泳者の水中視界が確保される。
【００１７】
【発明の効果】
本発明は、眼と耳と後頭部を覆うに足る大きさを有しかつ前記眼に対応する部位に形成された孔を有する合成樹脂製のキャップ部と、眼球の前方に位置する合成樹脂製の透明体を有するとともに上記透明体の外周部に眼の周囲の顔面に密接可能な水遮断用の縁部を有するゴーグル部とを具備し、該ゴーグル部の前記縁部は、前記キャップ部の前記孔の周りの顔面側に突出するよう前記キャップ部と同一種類のエラストマ樹脂によって該キャップ部と一体成形され、前記縁部の内周部に前記透明体の外周縁が水密に固定されている。本発明によれば、泳者の頭部に密着するキャップ部によってゴーグル部を頭部に確実に固定することができるため別途にバンドを必要とせず、しかもキャップ部が水泳キャップとしての機能を果たすことができる。また、ゴーグル部とキャップ部との連接部分を流線形に近付けることができるなど、水の抵抗を減らす上で有効である。そしてゴーグル部が泳者の頭部にしっかりと保持されるため、競泳の飛込み時などにゴーグル部が外れることがない。また、ゴーグル部とキャップ部が一体化しているため両者を別々に扱う場合に比較して紛失や持ち忘れが生じにくくなる。
【図面の簡単な説明】
【図１】  本発明の一実施形態を示す水泳用ゴーグルの正面図。
【図２】  図１に示された水泳用ゴーグルの側面図。
【図３】  図１中のIII-III 線に沿う断面図。
【図４】  本発明の他の実施形態を示す水泳用ゴーグルの正面図。
【符号の説明】
１０…水泳用ゴーグル
１１…キャップ部
１２…ゴーグル部
１５…透明体
２０…縁部
【図１】
0003699178.tif 000002
【図２】
0003699178.tif 000003
【図３】
0003699178.tif 000004
【図４】
0003699178.tif 000005